(57)【要約】【課題】送配電設備、あるいは変電設備などの電力設備に設置される系統接地システム機器全てにおいてのコストを削減し、省スペース設計の簡潔化が実現できる中性点接地装置を提供する。【解決手段】中性点接地装置１を例えば抵抗接地系の受変電設備のうち１１ｋＶ母線、６ｋＶ母線に接続する。この中性点接地装置１は、接地変圧器２と中性点接地抵抗器３を有している。この中性点接地抵抗器３は、接地変圧器２の金属体からなる放熱器３により構成するものである。即ち、接地変圧器２の放熱器３は、接地変圧器２の放熱作用を有すると共に、中性点接地抵抗器３としての機能をも有する。【選択図】図２
2008099398.tif 000002
【特許請求の範囲】
【請求項１】
中性点を備えた接地変圧器と、上記接地変圧器に接続される中性点接地抵抗器と、を備えた中性点接地装置において、
上記接地変圧器に金属体から構成される放熱器を設け、上記放熱器を上記中性点接地抵抗器として動作させることを特徴とする中性点接地装置。
【請求項２】
上記接地変圧器の高圧側に設けられる高圧側接続端子と、上記高圧側接続端子と上記接地変圧器に設けられる接地端子間に接続される変流器と、上記高圧側接続端子と上記変流器を収納し、上記接地変圧器に取り付けられる保護カバーと、を備えたことを特徴とする請求項１記載の中性点接地装置。
【請求項３】
上記接地変圧器の低圧側に設けられる低圧側接続端子と、上記低圧側接続端子に接続され、上記中性点接地抵抗器を系統から切り離す接地抵抗器切離用開閉装置と、上記低圧側接続端子と上記接地抵抗器切離用開閉装置を収納し、上記接地変圧器に取り付けられる保護カバーと、を備えたことを特徴とする請求項１又は請求項２記載の中性点接地装置。
【発明の詳細な説明】
【技術分野】
【０００１】
この発明は、送配電設備、あるいは変電設備などの電力設備に設置される中性点接地装置に関するものである。
【背景技術】
【０００２】
従来、送配電設備、あるいは変電設備などの電力設備においては、対地充電容量の補償、一線地絡時の異常電圧抑制等、所謂、地絡保護のために中性点接地装置が広く使用されている。そして、この中性点接地装置は、一般に変圧器巻線に中性点を備えた接地変圧器と、前記変圧器に接続される中性点接地抵抗器を備えて構成されると共に、上記接地変圧器と中性点接地抵抗器が一つのタンク内に収納され、このタンクの接地変圧器と中性点接地抵抗器との間を特殊形状の隔壁により区画して、変圧器室と抵抗器室とを形成し、更に、隔壁にて区画されたタンク内の変圧器室と抵抗器室には、それぞれ絶縁媒体として封入圧力を異にした六フッカ硫黄ガスを充填して構成している。また、接地変圧器と中性点接地抵抗器との間に設けられる断路器を上記タンクの外壁に配設して構成している（特許文献１参照）。
【０００３】
【特許文献１】特開平６−１８１１２６号公報（段落０００２〜０００６、図１）
【発明の開示】
【発明が解決しようとする課題】
【０００４】
上記従来の中性点接地装置においては、系統接地システムを構成する接地変圧器、並びに中性点接地抵抗器は一つのタンク内に収納されているとはいえ、個別のタンク内に収納されるのと同等の設置スペースを必要とし、また、中性点接地装置として接地変圧器と中性点接地抵抗器を個別に設計する必要があり、コストがかさむことになる。
【０００５】
この発明は上記課題を解決し、系統接地システム機器全てにおいてのコストを削減し、省スペース設計の簡潔化が実現できる中性点接地装置を提供するものである。
【課題を解決するための手段】
【０００６】
この発明は、中性点を備えた接地変圧器と、上記接地変圧器に接続される中性点接地抵抗器と、を備えた中性点接地装置において、上記接地変圧器に金属体から構成される放熱器を設け、上記放熱器を上記中性点接地抵抗器として動作させるものである。
【発明の効果】
【０００７】
この発明によれば、系統接地システム機器全てにおいてのコストを削減し、省スペース設計の簡潔化が実現できる。
【発明を実施するための最良の形態】
【０００８】
以下に添付図面を参照して、この発明に係る中性点接地装置について好適な実施の形態を説明する。なお、この実施の形態によりこの発明が限定されるものではない。
【０００９】
実施の形態１．
図１から図３はこの発明の実施の形態１に係る中性点接地装置を示すもので、図１は中性点接地装置の構成機器を表す概略単線図、図２は中性点接地装置の構成を示す概略側面図、図３はその概略上面図である。
【００１０】
図１に示すように、中性点接地装置１を例えば抵抗接地系の受変電設備のうち１１ｋＶ母線、６ｋＶ母線に接続する。この中性点接地装置１は、接地変圧器２と中性点接地抵抗器３を有している。この中性点接地抵抗器３は、図２及び図３に示すように、接地変圧器２の金属体からなる放熱器３により構成するものである。即ち、図２及び図３における接地変圧器２の放熱器３は、接地変圧器２の放熱作用を有すると共に、図１における中性点接地抵抗器３としての機能をも有するものである。
【００１１】
接地変圧器２の高圧側接続端子４、及び中性点変流器５は耐環境性を考慮して保護カバー６内に収納されており、また、接地変圧器２の低圧側接続端子７、及び接地抵抗器３を低圧側の系統から切り離す接地抵抗器切離用開閉装置８も耐環境性を考慮して保護カバー９内に収納されている。なお、接地抵抗器切離用開閉装置８は、中性点接地抵抗器３の保守点検時に中性点接地抵抗器３を系統から切り離すものである。
【００１２】
中性点接地装置１を構成する接地変圧器２、中性点接地抵抗器３、切離用開閉装置８の各機器間は図１〜図３に示すように、ケーブル９ａ〜９ｄにより接続されている。また、図３に示すように、放熱器３と接地変圧器２のタンク部分２ａとは安全のため絶縁体１０により絶縁されており、接地変圧器２のタンク部分２ａ下方部分には接地端子１１が設けられ、中性点変流器５を通過したケーブル９ａが接続されている。なお、梯子１２が接地変圧器２、あるいは接地抵抗器切離用開閉装置８の操作及びメンテナンスなどを容易にするために設置されている。
【００１３】
実施の形態１に係る中性点接地装置１は上記のように構成されており、次にその動作について説明する。今、中性点接地装置１が接続されている系統に地絡が起きた場合、接地変圧器２の中性点Ｎの電圧が急上昇する。この結果、中性点接地抵抗器３にはそのインピーダンスによって決まる電流が流れる。この電流は中性点接地抵抗器３を通じて接地端子１１から大地に接地され、系統の一線地絡時における健全相の電位が異常に上昇するのを抑制して系統を健全状態に維持する。
【００１４】
以上説明したように、実施の形態１に係る中性点接地装置１は、接地変圧器２の放熱作用を成す放熱器３を中性点接地抵抗器３として兼用させることにより、系統接地システム機器全てにおいてのコストを削減し、省スペース設計の簡潔化を実現することができるものである。
【００１５】
また、接地変圧器２の放熱作用を成す放熱器３を中性点接地抵抗器３として兼用させると共に、接地変圧器３の高圧側に設けられる高圧側接続端子４と、高圧側接続端子４と接地変圧器３に設けられる接地端子１２間に中性点変流器５を接続し、高圧側接続端子４と中性点変流器５を収納した保護カバー６を接地変圧器２に取り付ける構成にしたので、系統接地システム機器全てにおいてのコストを削減し、省スペース設計の簡潔化を実現することができるものである。
【００１６】
更にまた、接地変圧器２の放熱作用を成す放熱器３を中性点接地抵抗器３として兼用させると共に、接地変圧器２の低圧側に設けられる低圧側接続端子７と、この低圧側接続端子７に接続される中性点接地抵抗器３を系統から切り離す接地抵抗器切離用開閉装置８を保護カバー９に収納し、接地変圧器２に取り付ける構成にしたので、系統接地システム機器全てにおいてのコストを削減し、省スペース設計の簡潔化を実現することができるものである。
【産業上の利用可能性】
【００１７】
以上のように、この発明に係る中性点接地装置は、送配電設備、あるいは変電設備における系統接地システム機器全てにおいてのコストを削減し、省スペース設計の簡潔化に寄与し、産業上の利用の可能性が大きい。
【図面の簡単な説明】
【００１８】
【図１】この発明の実施の形態１に係る中性点接地装置の構成機器を表す概略単線図である。
【図２】この発明の実施の形態１に係る中性点接地装置の構成を示す概略側面図である。
【図３】この発明の実施の形態１に係る中性点接地装置の構成を示す概略上面図である。
【符号の説明】
【００１９】
１  中性点接地装置                      ２  接地変圧器
３  放熱器、中性点接地抵抗器            ４  高圧側接続端子
５  中性点変流器                        ６，９  保護カバー
７  低圧側接続端子                      ８  接地抵抗器切離用開閉装置
１０  絶縁体                            １１  接地端子
１２  梯子
【図１】
2008099398.tif 000003
【図２】
2008099398.tif 000004
【図３】
2008099398.tif 000005